(57)【特許請求の範囲】
【請求項１】
導電性の板状部材であるバスバーとともに導電性筐体に実装されるノイズフィルタ装置において、
前記バスバーと前記導電性筐体との間に浮遊容量を形成する浮遊容量形成手段と、
電位が異なる前記バスバーの相互間と、接地される前記導電性筐体と前記バスバーとの間と、のうち一以上の部材間を電気的に接続するフィルタ素子とを有し、
複数の前記バスバーを前記導電性筐体に実装する場合には、前記導電性筐体と電気的に接続する場合を含めて複数の前記バスバーのうち一以上の前記バスバーを接地して同電位にすることを特徴とするノイズフィルタ装置。
【請求項２】
前記浮遊容量形成手段は、部材相互間に介在させる絶縁体と、部材相互間の対向面に隙間を形成させる隙間形成手段と、のうち少なくとも一方を有することを特徴とする請求項１に記載のノイズフィルタ装置。
【請求項３】
複数の前記フィルタ素子のうち二以上の前記フィルタ素子を近接させて配置し、二以上の前記フィルタ素子を電気的に並列接続を行って実装することを特徴とする請求項１または２に記載のノイズフィルタ装置。
【請求項４】
前記フィルタ素子の全部または一部を覆ってノイズを遮蔽するノイズ遮蔽手段を有することを特徴とする請求項１から３のいずれか一項に記載のノイズフィルタ装置。
【請求項５】
前記ノイズ遮蔽手段は、前記フィルタ素子の全部または一部を収容する凹部を前記導電性筐体に備えることを特徴とする請求項４に記載のノイズフィルタ装置。
【請求項６】
前記ノイズ遮蔽手段は、前記バスバーと、前記導電性筐体と、金属製カバーと、のうち二以上の部材を用いて前記フィルタ素子の全部または一部を覆うことを特徴とする請求項４または５に記載のノイズフィルタ装置。
【発明の詳細な説明】
【技術分野】
【０００１】
本発明は、バスバーとともに導電性筐体に実装されるノイズフィルタ装置に関する。
【背景技術】
【０００２】
従来では、磁性体装置（チョークコイルやトランスなど）からの電磁誘導による誘導ノイズを低減するコンデンサ及び回路装置に関する技術の一例が開示されている（例えば特許文献１を参照）。この技術では、コンデンサのリード線を一方の電極部から他方の電極部に向かって屈曲させることで、コンデンサに対する誘導ノイズを低減させる。
【先行技術文献】
【特許文献】
【０００３】
【特許文献１】特開２００７−２９４５７２号公報
【発明の概要】
【発明が解決しようとする課題】
【０００４】
しかし、導電性の板状部材であるバスバーとともに導電性筐体に実装するコンデンサについて特許文献１の技術を適用すると、コンデンサのリード線を屈曲させる必要がある。そのため、屈曲作業に時間を要するとともに、屈曲作業を行う人手や装置などでコストが嵩むという問題がある。また、単にリード線を屈曲させるだけであるので、コンデンサに備え付けられるリード線の位置によっては表面に露出する等の屈曲形態になり、電磁誘導による誘導ノイズを受けるという問題もある。
【０００５】
本発明はこのような点に鑑みてなしたものであり、フィルタ素子（上記コンデンサを含む。）に対して何らかの作業を必要とせず、従来技術よりもフィルタ素子に対する誘導ノイズを低減できるノイズフィルタ装置を提供することを目的とする。
【課題を解決するための手段】
【０００６】
上記課題を解決するためになされた請求項１に記載の発明は、導電性の板状部材であるバスバーとともに導電性筐体に実装されるノイズフィルタ装置において、前記バスバーと前記導電性筐体との間に浮遊容量を形成する浮遊容量形成手段と、電位が異なる前記バスバーの相互間と、接地される前記導電性筐体と前記バスバーとの間と、のうち一以上の部材間を電気的に接続するフィルタ素子とを有し、複数の前記バスバーを前記導電性筐体に実装する場合には、前記導電性筐体と電気的に接続する場合を含めて複数の前記バスバーのうち一以上の前記バスバーを接地して同電位にすることを特徴とする。
【０００７】
この構成によれば、電位が異なるバスバーの相互間、電位が異なる導電性筐体とバスバーとの間について、一以上の部材間にフィルタ素子を電気的に接続する。この接続によってループ面積を縮小させて、フィルタ素子に対するノイズの鎖交を低減することができる。また、浮遊容量形成手段によってバスバーと導電性筐体との間に浮遊容量が形成されるので、別個に等価コンデンサを電気的に接続したと同等の作用効果を生じ、フィルタ効果を奏する。そのため、フィルタ素子に対するノイズの鎖交をより確実に低減することができる。なお、バスバーと導電性筐体との間の隙間を小さくするほど、浮遊容量が増すとともに、バスバーで生じた熱が導電性筐体に伝わって放熱性が高まる。さらに、バスバーと導電性筐体とが接続によって同電位になるので、フィルタ素子と導電性筐体との間のループ面積が縮小され、フィルタ素子に対するノイズの鎖交を低減することができる。
【０００８】
なお、「バスバー」は導電性の板状部材であれば任意であり、板状部材の材質や形状等を問わない。「フィルタ素子」はノイズを低減する回路素子であれば任意であり、例えばコンデンサ（キャパシタ），コイル（インダクタ），抵抗器，能動フィルタ素子（例えばノイズ低減回路を含むモジュール等）などが該当する。「ノイズ」は電流や信号等に影響を及ぼすノイズであれば任意であり、例えば誘導ノイズや外来ノイズ等が該当する。
【０００９】
請求項２に記載の発明は、前記浮遊容量形成手段は、部材相互間に介在させる絶縁体と、部材相互間の対向面に隙間を形成させる隙間形成手段と、のうちで少なくとも一方を有することを特徴とする。この構成によれば、バスバーと導電性筐体との間や、フィルタ素子とバスバーとの間、フィルタ素子と導電性筐体との間について、対向面間に隙間を形成したり、絶縁体を介在させたりする。隙間や絶縁体には浮遊容量を形成できるので、簡単な構成でフィルタ素子に対するノイズの鎖交を確実に低減することができる。
【００１０】
請求項３に記載の発明は、複数の前記フィルタ素子のうち二以上の前記フィルタ素子を近接させて実装し、二以上の前記フィルタ素子を電気的に並列接続を行って実装することを特徴とする。この構成によれば、二以上のフィルタ素子が近接して実装され、かつ電気的に並列接続されるので、フィルタ素子相互間のループ面積が縮小され、フィルタ素子に対するノイズの鎖交を低減することができる。
【００１１】
請求項４に記載の発明は、前記フィルタ素子の全部または一部を覆ってノイズを遮蔽するノイズ遮蔽手段を有することを特徴とする。この構成によれば、ノイズ遮蔽手段がフィルタ素子の全部または一部を覆うので、電磁誘導によってフィルタ素子が受けるノイズを低減することができる。
【００１２】
請求項５に記載の発明は、前記ノイズ遮蔽手段は、前記フィルタ素子の全部または一部を収容する凹部を前記導電性筐体に備えることを特徴とする。この構成によれば、ノイズの影響を受けにくくなり、全高を抑えられる。
【００１３】
請求項６に記載の発明は、前記ノイズ遮蔽手段は、前記バスバーと前記導電性筐体と金属製カバーとのうち二以上の部材を用いて前記フィルタ素子の全部または一部を覆うことを特徴とする。この構成によれば、バスバーや導電性筐体を用いてフィルタ素子を覆えば、別個のシールド部材を必要としないのでコストを低減できる。また、金属製カバーを用いてフィルタ素子を覆う場合は、フィルタ素子だけでなくバスバーや導電性筐体等も覆うことができるのでノイズの遮蔽効果が向上する。
【図面の簡単な説明】
【００１４】
【図１】ノイズフィルタ装置の第１構成例を示す断面図である。
【図２】ノイズフィルタ装置の第２構成例を示す図である。
【図３】ノイズフィルタ装置の第３構成例を示す断面図である。
【図４】ノイズフィルタ装置の第４構成例を示す断面図である。
【図５】ノイズフィルタ装置の第５構成例を示す断面図である。
【図６】ノイズフィルタ装置の第６構成例を示す断面図である。
【図７】ノイズフィルタ装置の第７構成例を示す断面図である。
【図８】ノイズフィルタ装置の第８構成例を示す断面図である。
【図９】ノイズフィルタ装置の第９構成例を示す断面図である。
【図１０】ノイズフィルタ装置の第１０構成例を示す断面図である。
【図１１】ノイズフィルタ装置の第１１構成例を示す図である。
【図１２】ノイズフィルタ装置の第１２構成例を示す図である。
【発明を実施するための形態】
【００１５】
以下、本発明を実施するための形態について、図面に基づいて説明する。なお、特に明示しない限り、「接続する」という場合には電気的な接続を意味する。また、連続符号は記号「〜」を用いて簡略化する。例えば「フィルタ素子１０〜１５」は「フィルタ素子１０，１１，１２，１３，１４，１５」を意味する。上下左右等の方向を言う場合には、図面の記載を基準とする。フィルタ素子にはノイズを低減する任意の回路素子を適用可能であるが、実施の形態１〜１２ではコンデンサを適用した例について説明する。導電性筐体の電位は接地するか否かで異なり、接地した場合には０[Ｖ]になる。
【００１６】
〔実施の形態１〕
実施の形態１は、電位が異なる２つのバスバー間にフィルタ素子を接続する例であって、断面図で示す図１を参照しながら説明する。図１（Ａ）にはリード線をバスバーの表面側（上側）に接続する例を示し、図１（Ｂ）にはリード線をバスバーと絶縁体との間に接続する例を示す。
【００１７】
図１（Ａ）および図１（Ｂ）に示すノイズフィルタ装置は、フィルタ素子１０、バスバー２０，２１、絶縁体３０，３１、導電性筐体４０などを有する。バスバー２０とバスバー２１との間は、端面が対向するように実装される。
【００１８】
フィルタ素子１０は、電位が異なるバスバー２０とバスバー２１との間を橋渡すように実装する。具体的には、フィルタ素子１０のリード線１０ａをバスバー２０に接続し、リード線１０ｂをバスバー２１に接続する。例えば溶接やハンダ等で行う接続は、図１（Ａ）ではバスバー２０，２１の表面側（上側）に対して行い、図１（Ｂ）ではバスバー２０，２１の裏面側（下側；絶縁体３０，３１との間）に対して行う。このフィルタ素子１０には、例えば金属キャップセラミックコンデンサ等を用いる。
【００１９】
導電性の板状部材としてのバスバー２０，２１は、例えば銅板を用いる。バスバー２０は絶縁体３０を介して導電性筐体４０に実装され、バスバー２１は絶縁体３１を介して導電性筐体４０に実装される。バスバー２０と導電性筐体４０との距離（言い換えれば絶縁体３０の厚み）を「ｄ」とし、絶縁体３０の誘電率を「ε」とし、絶縁体３０に接するバスバー２０の面積を「Ｓ」とし、浮遊容量を「Ｃｆ」とする。このとき、式〔Ｃｆ＝εＳ／ｄ〕が成り立つ。実際の距離「ｄ」は、例えば１０〜３００μｍ程度である。
【００２０】
上記の式で明らかなように、断面積が大きくなったり、距離（厚み）が小さくなったりするにつれて浮遊容量が増す。このことは、バスバー２１と導電性筐体４０との間についても同様に成り立つ。こうして浮遊容量Ｃｆが形成されるため、太破線で示すノイズの鎖交ループＭＬ１が生じる。絶縁体３０，３１の介在に伴って浮遊容量Ｃｆが形成される点で、絶縁体３０，３１は「浮遊容量形成手段」に相当する。
【００２１】
浮遊容量Ｃｆの形成は、そこに同容量のコンデンサを接続したと同等の効果が得られるので、バスバー２０，２１自体がフィルタの役割を担う。また、バスバー２０，２１と導電性筐体４０との距離を短く設定すると、バスバー２０，２１に流れる電流によって生じた熱が導電性筐体４０に伝わり易くなる。したがって、バスバー２０，２１で発生した熱は導電性筐体４０を通じて発散することができ、放熱性が向上する。なお、バスバー２０，２１と導電性筐体４０との間の距離「ｄ」を小さくするほど、浮遊容量Ｃｆが増すとともに、バスバー２０，２１で生じた熱が導電性筐体４０に伝わって放熱性が高まる。
【００２２】
上述した実施の形態１によれば、以下に示す各効果を得ることができる。まず請求項１に対応し、バスバー２０，２１と導電性筐体４０との間に絶縁体３０，３１（浮遊容量形成手段）を介在させて浮遊容量Ｃｆを形成させ、電位が異なるバスバー２０とバスバー２１との間にフィルタ素子１０を接続する構成とした（図１を参照）。この構成によれば、フィルタ素子１０、バスバー２０，２１および導電性筐体４０に鎖交ループＭＬ１が形成されてループ面積が縮小されるので、フィルタ素子１０に対するノイズの鎖交を低減できる。また、絶縁体３０，３１によってバスバー２０，２１と導電性筐体４０との間に距離「ｄ」が生じて浮遊容量Ｃｆが形成されるので、フィルタ効果を奏する。そのため、フィルタ素子１０に対するノイズの鎖交をより確実に低減できる。
【００２３】
請求項２に対応し、バスバー２０，２１と導電性筐体４０との間に絶縁体３０，３１（浮遊容量形成手段）を介在させる絶縁体３０，３１（浮遊容量形成手段）を備える構成とした（図１を参照）。この構成によれば、簡単な構成でフィルタ素子１０に対するノイズの鎖交を確実に低減することができる。
【００２４】
〔実施の形態２〕
実施の形態２は、一方のバスバーが導電性筐体に接続された場合において、電位が異なる２つのバスバー間にフィルタ素子を接続する例であって、図２を参照しながら説明する。図２（Ａ）には平面図を示し、図２（Ｂ）には図２（Ａ）に図示する矢印方向からみた側面図を示し、図２（Ｃ）には回路図を示す。なお説明を簡単にするために、実施の形態１で用いた要素と同一の要素には同一の符号を付して説明を省略する。
【００２５】
図２（Ａ）および図２（Ｂ）に示すノイズフィルタ装置は、フィルタ素子１０〜１２、バスバー２０，２１、絶縁体３０，３１、コイルＬ２、導電性筐体４０などを有する。フィルタ素子１０〜１２は、いずれも電位が異なるバスバー２０とバスバー２１との間を橋渡すように並列的に実装する。ただし、フィルタ素子１１，１２は近接させて実装する。フィルタ素子１０とフィルタ素子１１との間には、バスバー２１を囲むようにコイルＬ２を実装する。コイルＬ２には、例えばチョークコイル等のインダクタを用いる。
【００２６】
バスバー２０，２１は絶縁体３０，３１を介して導電性筐体４０に実装する点は実施の形態１と同じであるので、浮遊容量Ｃｆが生じる。このうちバスバー２０については、さらに導電性締結部材Ｂ１，Ｂ２（例えば導電性ネジや導電性ボルト等）を用いて導電性筐体４０に固定する。この固定によって、バスバー２０は導電性筐体４０と同電位になる。上述した要素にかかる回路図は、図２（Ｃ）に一点鎖線で囲む部分である。なお、フィルタ素子１０の容量を「Ｃ１」とし、フィルタ素子１１の容量を「Ｃ２」とし、フィルタ素子１２の容量を「Ｃ３」とする。また、ダイオードＤ１，Ｄ２およびコイルＬ１は半波整流を行う整流回路を構成する。
【００２７】
図２（Ｃ）に示す一点鎖線内には、太破線で示すノイズの鎖交ループＭＬ３，ＭＬ４が生じる。鎖交ループＭＬ３は、コイルＬ２、フィルタ素子１１（Ｃ２）およびフィルタ素子１２（Ｃ３）のループである。鎖交ループＭＬ４は、フィルタ素子１１（Ｃ２）とフィルタ素子１２（Ｃ３）のループである。その一方で一点鎖線外には、太破線で示すノイズの鎖交ループＭＬ２が生じる。この鎖交ループＭＬ２は、フィルタ素子１０（Ｃ１）と整流回路との間に生じ、ダイオードＤ２、コイルＬ１およびフィルタ素子１０（Ｃ１）のループである。
【００２８】
上述した実施の形態２によれば、以下に示す各効果を得ることができる。まず請求項１に対応し、バスバー２０，２１と導電性筐体４０との間に絶縁体３０，３１（浮遊容量形成手段）を介在させて浮遊容量を形成させ、電位が異なるバスバー２０とバスバー２１との間にフィルタ素子１０〜１２を並列接続する構成とした（図２を参照）。この構成によれば、フィルタ素子１０〜１２、バスバー２０，２１、コイルＬ２および導電性筐体４０に鎖交ループＭＬ３，ＭＬ４が形成されてループ面積が縮小されるので（図２（Ｃ）を参照）、フィルタ素子１０に対するノイズの鎖交を低減することができる。また、絶縁体３０，３１によってフィルタ効果を奏するので、フィルタ素子１０〜１２に対するノイズの鎖交をより確実に低減することができる。
【００２９】
請求項２に対応し、バスバー２０，２１と導電性筐体４０との間に絶縁体３０，３１（浮遊容量形成手段）を介在させる絶縁体３０，３１（浮遊容量形成手段）を備える構成とした（図２を参照）。この構成によれば、簡単な構成でフィルタ素子１０に対するノイズの鎖交を確実に低減することができる。
【００３０】
請求項３に対応し、複数のフィルタ素子１０〜１２のうちフィルタ素子１１，１２を近接させて実装し、電気的に並列接続する構成とした（図２（Ａ）および図２（Ｃ）を参照）。この構成によれば、フィルタ素子１１，１２相互間のループ面積が縮小され、フィルタ素子１１，１２に対するノイズの鎖交を低減することができる。
【００３１】
請求項１に対応し、複数のバスバー２０，２１のうちで、バスバー２０を導電性筐体４０と電気的に接続して同電位にする構成とした（図２を参照）。この構成によれば、バスバー２０と導電性筐体４０とが接続によって同電位になるので、フィルタ素子１０〜１２と導電性筐体４０との間のループ面積が縮小され、フィルタ素子１０〜１２に対するノイズの鎖交を低減することができる。
【００３２】
〔実施の形態３〕
実施の形態３は、一のバスバーを直接的に導電性筐体に実装する場合において、電位が異なる２つのバスバー間にフィルタ素子を接続する例であって、断面図で示す図３を参照しながら説明する。なお説明を簡単にするために、実施の形態１，２で用いた要素と同一の要素には同一の符号を付して説明を省略する。
【００３３】
実施の形態３が実施の形態１と異なるのは、バスバー２０を直接的に導電性筐体４０に実装する点である。この実装は、溶接やハンダ等で行う。バスバー２０と導電性筐体４０とは同電位になって浮遊容量は生じないが、バスバー２１と導電性筐体４０との間には絶縁体３１が介在するので浮遊容量が生じる。
【００３４】
上述した実施の形態３によれば、バスバー２１と導電性筐体４０との間には浮遊容量が生じるので、この点において実施の形態１と同様の作用効果を得ることができる。この形態は、導電性筐体４０が接地されている場合において、フィルタ素子１０のリード線１０ａ（一方側端子）を接地する場合に配線等が不要になってコストを低減できる。
【００３５】
〔実施の形態４〕
実施の形態４は、導電性筐体に凹部を有する場合において、電位が異なる２つのバスバー間にフィルタ素子を接続する例であって、断面図で示す図４を参照しながら説明する。図４（Ａ）には図１に対応する構成を示し、図４（Ｂ）には図３に対応する構成を示し、図４（Ｃ）には導電性筐体およびバスバーでノイズを遮蔽する構成を示す。なお説明を簡単にするために、実施の形態１〜３で用いた要素と同一の要素には同一の符号を付して説明を省略する。
【００３６】
図４（Ａ）に示すノイズフィルタ装置は、二点の相違を除いて、図１に示すノイズフィルタ装置と同等の形態である。第１に、導電性筐体４０に凹部４０ａを備える点である。凹部４０ａの形状はフィルタ素子１０が入れば任意であり、例えば窪形状や溝形状等が該当する。第２に、フィルタ素子１０を上下逆方向に実装する点である。すなわち実施の形態１（図１）では導電性筐体４０に対して「∩」字状で実装するのに対し、本形態では導電性筐体４０に対して「Ｕ」字状で実装する。この実装によって、フィルタ素子１０を凹部４０ａ内に収容し、バスバー２０，２１の表面側（上側）はリード線１０ａ，１０ｂの厚みだけ突出するに過ぎない。
【００３７】
図４（Ｂ）に示すノイズフィルタ装置は、二点の相違を除いて、図３に示すノイズフィルタ装置と同等の形態である。二点の相違は、上述した図４（Ａ）に示すノイズフィルタ装置の場合と同じである。
【００３８】
図４（Ｃ）に示すノイズフィルタ装置は、二点の相違を除いて、上述した図４（Ｂ）に示すノイズフィルタ装置と同等の形態である。第１に、リード線１０ａ，１０ｂの接続位置が相違する。すなわち図４（Ｂ）に示すノイズフィルタ装置ではバスバー２０，２１の表面側（上側）に接続するのに対し、本形態ではリード線１０ａをバスバー２０と導電性筐体４０との間に挟み、リード線１０ｂをバスバー２１と絶縁体３１との間に挟む。第２に、対向するバスバー２０およびバスバー２１の端面間は非接続状態を維持するために隙間を設けるが、当該隙間を可能な限りゼロに近づける。フィルタ素子１０は、バスバー２０，２１と導電性筐体４０（具体的には凹部４０ａ）とに囲まれるのでノイズの影響を受けにくくなる。このようにノイズを遮蔽できる点で、バスバー２０，２１および導電性筐体４０は「ノイズ遮蔽手段」に相当する。
【００３９】
上述した実施の形態４によれば、以下に示す各効果を得ることができる。まず図４（Ａ）の形態は実施の形態１と同等であるので、当該実施の形態１と同様の作用効果を得ることができる。図４（Ｂ）の形態は実施の形態３と同等であるので、当該実施の形態３と同様の作用効果を得ることができる。
【００４０】
請求項４，６に対応し、フィルタ素子１０の全部を覆ってノイズを遮蔽するバスバー２０，２１および導電性筐体４０（ノイズ遮蔽手段）を備える構成とした（図４（Ｃ）を参照）。この構成によれば、バスバー２０，２１および導電性筐体４０がフィルタ素子１０の全部を覆うので、電磁誘導等によってフィルタ素子１０が受けるノイズを低減することができる。また、別個のシールド部材を必要としないのでコストを低減できる。
【００４１】
〔実施の形態５〕
実施の形態５は、電位が異なる２つのバスバー間を接続するフィルタ素子をノイズ遮蔽手段で覆う例であって、断面図で示す図５を参照しながら説明する。図５（Ａ）には図１に対応する構成を示し、図５（Ｂ）には図３に対応する構成を示し、図５（Ｃ）には図４（Ａ）に対応する構成を示し、図５（Ｄ）には図４（Ｂ）に対応する構成を示す。なお説明を簡単にするために、実施の形態１〜４で用いた要素と同一の要素には同一の符号を付して説明を省略する。
【００４２】
図５（Ａ）に示すノイズフィルタ装置は、図１に示すノイズフィルタ装置と比較して、フィルタ素子１０およびバスバー２０，２１の全体を金属製カバー５０で覆う点が相違する。この金属製カバー５０は導電性締結部材Ｂ３，Ｂ４を用いて導電性筐体４０に固定する。この固定によって、金属製カバー５０は導電性筐体４０と同電位になる。金属製カバー５０は、ノイズを遮蔽可能な部材であれば形状や材質等は任意である。
【００４３】
図５（Ｂ）〜図５（Ｄ）に示すノイズフィルタ装置は、各々が対応する図の形態と比較して、フィルタ素子１０およびバスバー２０，２１の全体を金属製カバー５０で覆う点が相違する。金属製カバー５０は、図５（Ａ）に示すノイズフィルタ装置と同様である。
【００４４】
上述した実施の形態５によれば、以下に示す各効果を得ることができる。まず図５（Ａ）の形態は実施の形態１と同等であるので、当該実施の形態１と同様の作用効果を得ることができる。図５（Ｂ）の形態は実施の形態３と同等であるので、当該実施の形態３と同様の作用効果を得ることができる。図５（Ｃ）および図５（Ｄ）の各形態は実施の形態４と同等であるので、当該実施の形態４と同様の作用効果を得ることができる。
【００４５】
さらに請求項４，６に対応し、フィルタ素子１０およびバスバー２０，２１の全部を覆ってノイズを遮蔽する金属製カバー５０を備える構成とした（図５の各図を参照）。この構成によれば、金属製カバー５０がフィルタ素子１０の全部を覆うので、電磁誘導等によってフィルタ素子１０が受けるノイズを低減することができる。また、バスバー２０，２１も覆うことができるのでノイズの遮蔽効果が向上する。
【００４６】
〔実施の形態６〕
実施の形態６は、導電性筐体に凹部を有する場合において、電位が異なる２つのバスバー間にフィルタ素子を接続する例であって、断面図で示す図６を参照しながら説明する。なお説明を簡単にするために、実施の形態１〜５で用いた要素と同一の要素には同一の符号を付して説明を省略する。
【００４７】
図６（Ａ）に示すノイズフィルタ装置は、図４（Ａ）に示すノイズフィルタ装置と比較して、バスバー２０，２１と導電性筐体４０との間だけでなく、フィルタ素子１０と導電性筐体４０との間にも絶縁体３２を介在させる点が相違する。この絶縁体３２は、絶縁体３０と絶縁体３１とを一体化させるとともに、凹部４０ａに対応する部位をも一体化させる。この構成では、実施の形態１で説明したようにバスバー２０，２１と導電性筐体４０との間に浮遊容量が生じるだけでなく、フィルタ素子１０と導電性筐体４０との間にも浮遊容量が生じる。実際に生じる浮遊容量の大きさは、式〔Ｃｆ＝εＳ／ｄ〕に従うため、導電性筐体４０に対応する部材との間で相違する。
【００４８】
上述した実施の形態６によれば、図４（Ａ）に示す形態と同等であるので、当該実施の形態１，４と同様の作用効果を得ることができる。さらに、フィルタ素子１０と導電性筐体４０との間にも浮遊容量が生じるので、ループ面積がさらに縮小され、フィルタ素子１０に対するノイズの鎖交をより低減できる。
【００４９】
〔実施の形態７〕
実施の形態７は、電位が異なるバスバーと導電性筐体との間にフィルタ素子を接続する例であって、断面図で示す図７を参照しながら説明する。図７（Ａ）には段差部を備える導電性筐体への実装例を示し、図７（Ｂ）には複合凹部を備える導電性筐体への実装例を示す。なお説明を簡単にするために、実施の形態１〜６で用いた要素と同一の要素には同一の符号を付して説明を省略する。
【００５０】
図７（Ａ）に示すノイズフィルタ装置は、導電性筐体４０が段差部４０ｂを備える点を除いて、図３に示すノイズフィルタ装置と同等の形態である。言い換えれば、バスバー２０に対応する部位を導電性筐体４０で形成する。よって、フィルタ素子１０のリード線１０ａは導電性筐体４０に直接的に接続される。
【００５１】
図７（Ｂ）に示すノイズフィルタ装置は、導電性筐体４０が複合凹部４０ｃを備える点を除いて、図４（Ｂ）に示すノイズフィルタ装置と同等の形態である。複合凹部４０ｃは、段差部４０ｂと凹部４０ａとを組み合わせた部位である。バスバー２０に対応する部位を導電性筐体４０で形成する点と、フィルタ素子１０のリード線１０ａを導電性筐体４０に直接的に接続する点は、上述した図７（Ａ）と同等の形態である。
【００５２】
上述した実施の形態７によれば、図７（Ａ）の形態は実施の形態３と同等であるので、当該実施の形態３と同様の作用効果を得ることができる。また図７（Ｂ）の形態は実施の形態４と同等であるので、当該実施の形態４と同様の作用効果を得ることができる。
【００５３】
〔実施の形態８〕
実施の形態８は、電位が異なる２つのバスバー間にフィルタ素子を接続する例であって、断面図で示す図８を参照しながら説明する。図８（Ａ）には複数の凹部を備える導電性筐体に実装する例を示し、図８（Ｂ）には凸部を備える導電性筐体に実装する例を示し、図８（Ｃ）には一の凹部を備える導電性筐体に実装する例を示し、図８（Ｄ）には一の段差部を備える導電性筐体に実装する例を示す。なお説明を簡単にするために、実施の形態１〜７で用いた要素と同一の要素には同一の符号を付して説明を省略する。
【００５４】
図８（Ａ）および図８（Ｂ）に示すノイズフィルタ装置は、図１（Ａ）に示すノイズフィルタ装置に対応するが、二点の相違がある。第１に、バスバー２０，２１および導電性筐体４０の表面（上面）がフラットになるように、図８（Ａ）では２つの凹部４０ａを備え、図８（Ｂ）では１つの凸部４０ｄを備える点である。第２に、絶縁体３３〜３６の断面形状を導電性筐体４０の断面形状に合わせるため、図８（Ａ）では上方に開口する「コ」字状に形成し、図８（Ｂ）では「Ｌ」字状に形成する点である。
【００５５】
図８（Ａ）の形態における実装手順は、導電性筐体４０に形成された２つの凹部４０ａにそれぞれ絶縁体３３，３４を実装（装着）し、その上側にバスバー２０，２１を実装（嵌め込み）し、フィルタ素子１０はバスバー２０，２１相互間を橋渡すように接続する。図８（Ｂ）の形態における実装手順は、導電性筐体４０に形成された１つの凸部４０ｄを除く部位にそれぞれ絶縁体３５，３６を実装（装着）し、その上側にバスバー２０，２１を実装し、フィルタ素子１０はバスバー２０，２１相互間を橋渡すように接続する。
【００５６】
図８（Ｃ）および図８（Ｄ）に示すノイズフィルタ装置は、図７（Ａ）に示すノイズフィルタ装置に対応するが、二点の相違がある。この相違は、上述した図８（Ａ）および図８（Ｂ）に示すノイズフィルタ装置と図１（Ａ）に示すノイズフィルタ装置との相違と同じである。図８（Ｃ）および図８（Ｄ）の形態における各実装手順は、絶縁体３４およびバスバー２１を実装し、フィルタ素子１０は導電性筐体４０とバスバー２１との相互間を橋渡すように接続する点を除いて、図８（Ａ）および図８（Ｂ）の形態における各実装手順と同じである。
【００５７】
上述した実施の形態８によれば、図８（Ａ）および図８（Ｂ）の形態は実施の形態１と同等であるので、当該実施の形態１と同様の作用効果を得ることができる。図８（Ｃ）および図８（Ｄ）の形態は実施の形態７と同等であるので、当該実施の形態７と同様の作用効果を得ることができる。さらに、バスバー２０，２１および導電性筐体４０の表面（上面）がフラットになるので、フィルタ素子１０等の回路素子が実装し易くなる。
【００５８】
〔実施の形態９〕
実施の形態９は、電位が異なる２つのバスバー間にフィルタ素子を接続する例であって、断面図で示す図９を参照しながら説明する。図９は２つのバスバー相互間（隙間）にフィルタ素子を実装する例であって、図９（Ａ），図９（Ｂ），図９（Ｃ）にはそれぞれ異なる形態のリード線を有するフィルタ素子を示す。各図に共通する事項として、バスバー２０とバスバー２１との間は端面を対向させ、かつフィルタ素子１１〜１３を実装可能な空間を確保する。なお説明を簡単にするために、実施の形態１〜８で用いた要素と同一の要素には同一の符号を付して説明を省略する。
【００５９】
図９（Ａ）に示すノイズフィルタ装置は、フィルタ素子１１、バスバー２０，２１、絶縁体３０，３１、導電性筐体４０などを有する。フィルタ素子１１は、側面から見て直線状（平板状または棒状）のリード線１１ａ，１１ｂを備える。一方のリード線（本例ではリード線１１ａ）を一方のバスバー（本例ではバスバー２０）と絶縁体（本例では絶縁体３０）との間に挟んで、一方のバスバーに接続する。他方のリード線（本例ではリード線１１ｂ）を他方のバスバー（本例ではバスバー２１）の表面側（上側）に接続する。
【００６０】
図９（Ｂ）に示すノイズフィルタ装置は、フィルタ素子１２、バスバー２０，２１、絶縁体３０，３１、導電性筐体４０などを有する。フィルタ素子１２は、側面から見て「Ｌ」字状のリード線１２ａ，１２ｂを備える。フィルタ素子１２の接続形態は、図９（Ａ）に示すフィルタ素子１１の接続形態と同じである。
【００６１】
図９（Ｃ）に示すノイズフィルタ装置は、フィルタ素子１３、バスバー２０，２１、絶縁体３０，３１、導電性筐体４０などを有する。フィルタ素子１３は、側面から見て「Ｔ」字状のリード線１３ａ，１３ｂを備える。リード線１３ａは、バスバー２０と絶縁体３０との間に挟んで、バスバー２０に接続する。リード線１３ｂは、バスバー２１と絶縁体３１との間に挟んで、バスバー２１に接続する。導電性筐体４０には、フィルタ素子１３の一部を収容するための凹部４０ａを備える。
【００６２】
上述した実施の形態９によれば、図９（Ａ）と図９（Ｂ）に示す各形態は、実施の形態１における図１（Ａ）の一方と図１（Ｂ）の一方とをそれぞれ組み合わせた形態に等しい。また、図９（Ｃ）に示す形態は、実施の形態１における図１（Ｂ）の形態に等しい。したがって、実施の形態１と同様の作用効果を得ることができる。
【００６３】
〔実施の形態１０〕
実施の形態１０は、電位が異なる２つのバスバー間を接続するフィルタ素子をノイズ遮蔽手段で覆う例であって、断面図で示す図１０を参照しながら説明する。なお説明を簡単にするために、実施の形態１〜９で用いた要素と同一の要素には同一の符号を付して説明を省略する。
【００６４】
図１０に示すノイズフィルタ装置は、図５（Ｃ）に示すノイズフィルタ装置と比較して、フィルタ素子１０およびバスバー２０の全体を金属製カバー５１で覆う点が相違する。この金属製カバー５１は、導電性締結部材Ｂ５を用いて導電性筐体４０に固定し、導電性締結部材Ｂ６を用いてバスバー２１に固定する。この固定によって、金属製カバー５１およびバスバー２１は導電性筐体４０と同電位になる。金属製カバー５１は「ノイズ遮蔽手段」に相当し、上述した金属製カバー５０とは形状が異なる点を除いて同じである。
【００６５】
上述した実施の形態１０によれば、図１０の形態は実施の形態５と同等であるので、当該実施の形態５と同様の作用効果を得ることができる。
【００６６】
〔実施の形態１１〕
実施の形態１１は、電位が異なる３つのバスバー間を接続するフィルタ素子を実装する例であって、図１１を参照しながら説明する。図１１（Ａ）には平面図を示し、図１１（Ｂ）には図１１（Ａ）に図示するXIB−XIB線矢視の断面図を示す。なお説明を簡単にするために、実施の形態１〜１０で用いた要素と同一の要素には同一の符号を付して説明を省略する。
【００６７】
図１１（Ａ）に示すノイズフィルタ装置は、フィルタ素子１４、バスバー２０，２１，２２、絶縁体３０，３１，３３、導電性筐体４０などを有する。フィルタ素子１４はいわゆる「３端子フィルタ」と呼ばれ、リード線１４ａ，１４ｃ，１４ｄを備える。このフィルタ素子１４には、例えば株式会社村田製作所製の「ＮＦＭ２１ＰＣシリーズ」などを適用できる。リード線１４ａはバスバー２０に接続し、リード線１４ｃはバスバー２１に接続し、リード線１４ｄ（あるいはリード線１４ｂ）はバスバー２２に接続する。
【００６８】
バスバー２０とバスバー２１との間は端面が対向するように左右方向に実装され、相互間を通るようにバスバー２２が上下方向に実装される。バスバー２２は導電性締結部材Ｂ７，Ｂ８を用いて導電性筐体４０に固定する。この固定によってバスバー２２は導電性筐体４０と同電位になり、特に導電性筐体４０が接地されている場合は０[Ｖ]になる。
【００６９】
上述した実施の形態１１によれば、実施の形態１〜１０に示すフィルタ素子１０〜１３（２端子フィルタ）に代えて、フィルタ素子１４を用いるに過ぎない。したがって、実施の形態１〜１０と同様の作用効果を得ることができる。
【００７０】
〔実施の形態１２〕
実施の形態１２は、電位が異なる４つのバスバー間を並列的に接続するフィルタ素子を実装する例であって、図１２を参照しながら説明する。図１２（Ａ）には平面図を示し、図１２（Ｂ）には図１２（Ａ）に図示するXIIB−XIIB線矢視の断面図を示す。なお説明を簡単にするために、実施の形態１〜１０で用いた要素と同一の要素には同一の符号を付して説明を省略する。
【００７１】
図１２（Ａ）に示すノイズフィルタ装置は、フィルタ素子１５、バスバー２１〜２８、絶縁体３０、導電性筐体４０などを有する。フィルタ素子１５はいわゆる「フィルタアレイ」と呼ばれ、複数（本例は８）本のリード線１５ａ〜１５ｈを備える。このフィルタ素子１５には、例えばＴＤＫ株式会社製の「ＣＫＣシリーズ」などを適用できる。フィルタ素子１５の中には、図示するように４つのコンデンサが並列的に回路形成されている。上側のリード線１５ａはバスバー２１に接続し、リード線１５ｂはバスバー２２に接続し、リード線１５ｃはバスバー２３に接続し、リード線１５ｄはバスバー２４に接続する。下側のリード線１５ｅはバスバー２５に接続し、リード線１５ｆはバスバー２６に接続し、リード線１５ｇはバスバー２７に接続し、リード線１５ｈはバスバー２８に接続する。
【００７２】
バスバー２１とバスバー２５との間は端面が対向するように上下方向に実装される。同様にして、バスバー２２とバスバー２６との間、バスバー２３とバスバー２７との間、バスバー２４とバスバー２８との間についても端面が対向するように上下方向に実装される。接続を行うバスバー間の電位が異なっていればよい。例えば、バスバー２１は２４[Ｖ]、バスバー２２，２４，２５は１２[Ｖ]、バスバー２３，２８は５[Ｖ]、バスバー２６，２７は０[Ｖ]（ＧＮＤすなわち接地）である。バスバー２１〜２８と導電性筐体４０との間には、絶縁体３０が介在して実装される。
【００７３】
上述した実施の形態１２によれば、実施の形態１〜１０に示すフィルタ素子１０〜１３（２端子フィルタ）に代えて、フィルタ素子１５を用いるに過ぎない。したがって、実施の形態１〜１０と同様の作用効果を得ることができる。
【００７４】
〔他の実施の形態〕
以上では本発明を実施するための形態について実施の形態１〜１２に従って説明したが、本発明は当該形態に何ら限定されるものではない。言い換えれば、本発明の要旨を逸脱しない範囲内において、種々なる形態で実施することもできる。例えば、次に示す各形態を実現してもよい。
【００７５】
上述した実施の形態１〜１２では、導電性の板状部材としてのバスバー２０〜２８は銅板を用いる構成とした。この形態に代えて、銅板以外の導電性の板状部材を用いてもよい。例えば、金属部材（例えばアルミニウム，亜鉛，マグネシウム、あるいはそれらの合金）や、導電性高分子などが該当する。これらの部材を用いた場合でも、浮遊容量を生じさせることができるので、実施の形態１〜１２と同様の作用効果を得ることができる。
【００７６】
上述した実施の形態１〜１２では、バスバー２０〜２８を導電性筐体４０に実装する構成とした（図１〜図１２を参照）。この形態に代えて、バスバー２０〜２８を他の実装対象物に実装する構成としてもよい。他の実装対象物には、例えば電気回路を構成する基板（多層基板を含む）などが該当する。他の実装対象を用いた場合でも、物浮遊容量を生じさせることができるので、実施の形態１〜１２と同様の作用効果を得ることができる。
【００７７】
上述した実施の形態１〜１２では、浮遊容量形成手段として絶縁体３０〜３６を適用した（図１〜図１２を参照）。この形態に代えて、バスバー（導電性の板状部材）と導電性筐体とについて、対向面に隙間を形成する隙間形成手段を適用してもよい。隙間形成手段は、バスバーおよび導電性筐体のうち一方または双方に設ける突起や、バスバーと導電性筐体との間に介在させる小片の絶縁体などが該当する。対向面に形成される隙間には浮遊容量が生じるので、実施の形態１〜１２と同様の作用効果を得ることができる。
【００７８】
上述した実施の形態５，１０では、フィルタ素子１０およびバスバー２０，２１の全部を覆う金属製カバー５０，５１を備える構成とした（図５，図１０を参照）。この形態に代えて、フィルタ素子１０およびバスバー２０，２１の一部を覆う金属製カバーを備える構成としてもよい。ノイズ遮蔽手段としての金属製カバーで覆われた部位については、ノイズを遮蔽することができるので、全く覆われない場合に比べてノイズを遮蔽することができる。したがって、電流や信号等に及ぼす影響を抑えることができる。
【符号の説明】
【００７９】
１０〜１５  フィルタ素子
２０〜２８  バスバー（導電性の板状部材）
３０〜３６  絶縁体（浮遊容量形成手段）
４０  導電性筐体（実装対象物）
５０，５１  金属製カバー（ノイズ遮蔽手段）
Ｃ１〜Ｃ３  コンデンサ
Ｄ１，Ｄ２  ダイオード
Ｌ１，Ｌ２  インダクタ
【図１】
0005594517.tif 000002
【図２】
0005594517.tif 000003
【図３】
0005594517.tif 000004
【図４】
0005594517.tif 000005
【図５】
0005594517.tif 000006
【図６】
0005594517.tif 000007
【図７】
0005594517.tif 000008
【図８】
0005594517.tif 000009
【図９】
0005594517.tif 000010
【図１０】
0005594517.tif 000011
【図１１】
0005594517.tif 000012
【図１２】
0005594517.tif 000013